(57)【要約】【課題】表示部を機器本体に正立した状態から下向きに傾けたときに、表示部の下部とダッシュボードとの間に間隙を設ける必要がない車載用表示装置を提供すること。【解決手段】機器本体２の側方に設けた水平方向用ガイド４に連続して第１の係合部７を垂直方向にガイドする垂直方向変更用ガイド１２を形成し、機器本体２の前部側方に設けた垂直方向用ガイド６を形成し、第１の係合部７を水平方向用摺動体８に設け、水平方向用摺動体８と表示部９の下部とを回動自在に連結部１０で連結し、第２の係合部１１を表示部９の上部に設け、水平方向用摺動体８を水平方向から垂直方向に移動させて表示部９を上方に変位させながら下向きに傾ける。【選択図】図２
2008044429.tif 000002
【特許請求の範囲】
【請求項１】
表示装置の側方において水平方向に延在する水平方向用ガイドと、前記表示装置の前部側方において垂直方向に延在する垂直方向用ガイドと、表示部と、該表示部に回動自在に連結した水平方向用摺動体と、を備え、前記表示部は、前記水平方向用摺動体に設けられた第１の係合部が前記水平方向用ガイドに沿って水平方向に移動するとともに前記表示部上部に設けられた第２の係合部が前記垂直方向用ガイドに沿って上下に移動することによって、前記表示装置の前面を開放する表示装置において、
前記水平方向用ガイドは、前記第１の係合部を水平方向から垂直方向にガイドする垂直方向変更用ガイドを連続的に備えることを特徴とする表示装置。
【請求項２】
前記垂直方向変更用ガイドは、前記第１の係合部を垂直方向にガイドするとともに水平方向にもガイドするように、前記水平方向用ガイドから斜め上方に連続的に設けられていることを特徴とする請求項１に記載の表示装置。
【請求項３】
前記垂直方向用ガイドは、前記第２の係合部を垂直方向から水平方向にガイドする水平方向用変更用ガイドを連続的に備えることを特徴とする請求項１に記載の表示装置。
【請求項４】
前記水平方向用摺動体は、モータを駆動源として含む駆動部に連結され、
前記モータは、制御部によって制御・動作されることを特徴とする請求項１〜３のいずれかに記載の表示装置。
【請求項５】
前記駆動部は、
前記モータの回転数また回転力を変化させるギア機構と、
前記水平方向用摺動体に形成されたラックと、
前記ギア機構と前記ラックとの間に配設され、前記ラックに噛合回転することによって、前記ラックを水平方向に移動させるピニオンと、を備え、
前記ピニオンは、前記ラックが上下に変位してもラックから逸脱しない回転軸方向の長さを有することを特徴とする請求項４に記載の表示装置。
【請求項６】
前記制御部は、
前記水平方向用摺動体の位置を検出して出力する検出部と、
前記表示部の傾き具合の設定・入力を行う操作入力部と、
前記操作入力部による設定に基づき、前記検出部によって前記水平方向用摺動体の位置検出を行って、前記モータの回転動作を制御する制御回路と、を備えることを特徴とする請求項４又は５に記載の表示装置。
【発明の詳細な説明】
【技術分野】
【０００１】
本発明は、例えば車両のダッシュボード等に設置される表示装置、特に、その表示部を本体の前面に正立させた状態から水平に大きく傾けて前面を開放したり、表示部の角度を傾斜させてユーザに見やすくしたりすることを可能とした表示装置に関する。
【背景技術】
【０００２】
近年、車載用ナビケーション機器が広く普及している。この車載用ナビケーション機器は一般的にはダッシュボードに設置されている。このとき、車載用ナビゲーション機器の表示部を見やすくするため、車載用ナビケーション機器はダッシュボードに固定したままで、表示部のみを最適な角度に傾けることが必要とされている。
【０００３】
そのため、従来においては、例えば、下記特許文献１で示す技術が提案されている。これは、奥部がダッシュボード内に収納されて固定されるシャーシと、このシャーシの前部に回動自在に連結され表示部を下方から支持する支持部とによって、車載用ナビケーション機器に表示部を回動可能に支持するものである。さらに、表示部の回動位置を所望の角度で固定する手段を有する。この固定手段は、表示部の背面に取り付けられシャーシのサイドフレームに摺接する摺動面を有する略コ字状の保持板と、摺動面の下部に突設された第１のピンと、摺動面の上部に所定の間隔を置いて配設された複数の取付け孔と、取付け孔に取付けられる第２のピン、第１のピンと第２のピンとが挿通して上下に摺動可能にする嵌合するサイドフレームに形成された嵌合溝とからなる。
【０００４】
その結果、表示部は所望の回動位置において嵌合溝を介して第２のピンを取付け孔に取付けることにより固定されるようになっている。例えば、表示部は正立する状態から上向き及び下向きの状態を任意の角度で設定することができる。
【０００５】
従って、車両の種類が異なる場合や取付け箇所が異なることにより表示装置の車両本体に対する取付け角度が異なっても、利用者が見やすい角度に表示部を変更できる。
【特許文献１】特開２００２−１５４３８２号公報（段落［００１３］〜［００１６］）
【発明の開示】
【発明が解決しようとする課題】
【０００６】
ところで、車両に搭載される表示装置では、その表示部が車両に搭乗する者の膝や持ち物などが当たらないように、ダッシュボードの表面から突出しない状態で取り付けられる場合が多い。しかしながら、上記従来技術の車載用表示マウント装置を表示部がダッシュボードに完全に埋め込まれた状態で取付け、表示部を下向きに傾けるため回動させると、表示部の前方下縁が側方から見てシャーシの下面の延長線より下方に変位してしまう。従って予め表示部下面とダッシュボードの取付け用開口の下辺との間に間隙を設けないと、表示部の前方下縁がダッシュボードに突き当たってしまうために表示部を下向きに傾けることができない。また、表示部下面とダッシュボードの取付け用開口の下辺との間に間隙を設けると、美感上また防塵対策上好ましくないという問題点があった。
【０００７】
加えて、近時は機能の変更を可能にするため、表示装置に内蔵された光ディスクドライブに新たな光ディスク、例えばナビゲーション用の地図情報が記録された光ディスクを装填することを可能にしたものがある。このような表示装置は、表示部を水平位置まで大きく傾けることによって機器本体の前面を開放し、光ディスクを光ディスクドライブに装填できるようにしている。
【０００８】
そこで、本発明は、上述したように複雑な位置をとる表示部を有する表示装置において、表示部下面とダッシュボードの取付け用開口の下辺との間に間隙を設ける必要のない、従来の問題点を一掃した表示装置を提供することを目的とする。
【課題を解決するための手段】
【０００９】
上記目的を達成するために、本発明の請求項１に係る表示装置の発明は、表示装置の側方において水平方向に延在する水平方向用ガイドと、前記表示装置の前部側方において垂直方向に延在する垂直方向用ガイドと、表示部と、該表示部に回動自在に連結した水平方向用摺動体と、を備え、前記表示部は、前記水平方向用摺動体に設けられた第１の係合部が前記水平方向用ガイドに沿って水平方向に移動するとともに前記表示部上部に設けられた第２の係合部が前記垂直方向用ガイドに沿って上下に移動することによって、前記表示装置の前面を開放する表示装置において、
前記水平方向用ガイドは、前記第１の係合部を水平方向から垂直方向にガイドする垂直方向変更用ガイドを連続的に備えることを特徴とする。
【００１０】
また、請求項２に記載の発明は、請求項１に記載の表示装置において、前記垂直方向変更用ガイドは、前記第１の係合部を垂直方向にガイドするとともに水平方向にもガイドするように、前記水平方向用ガイドから斜め上方に連続的に設けられていることを特徴とする。
【００１１】
また、請求項３に記載の発明は、請求項１に記載の表示装置において、前記垂直方向用ガイドは、前記第２の係合部を垂直方向から水平方向にガイドする水平方向用変更用ガイドを連続的に備えることを特徴とする。
【００１２】
また、請求項４に記載の発明は、請求項１〜３のいずれかに記載の表示装置において、前記水平方向用摺動体は、モータを駆動源として含む駆動部に連結され、
前記モータは、制御部によって制御・動作されることを特徴とする。
【００１３】
また、請求項５に記載の発明は、請求項４に記載の表示装置において、前記駆動部は、
前記モータの回転数また回転力を変化させるギア機構と、
前記水平方向用摺動体に形成されたラックと、
前記ギア機構と前記ラックとの間に配設され、前記ラックに噛合回転することによって、前記ラックを水平方向に移動させるピニオンと、を備え、
前記ピニオンは、前記ラックが上下に変位してもラックから逸脱しない回転軸方向の長さを有することを特徴とする。
【００１４】
また、請求項６に記載の発明は、請求項４又は５に記載の表示装置において、前記制御部は、
前記水平方向用摺動体の位置を検出して出力する検出部と、
前記表示部の傾き具合の設定・入力を行う操作入力部と、
前記操作入力部による設定に基づき、前記検出部によって前記水平方向用摺動体の位置検出を行って、前記モータの回転動作を制御する制御回路と、を備えることを特徴とする。
【発明の効果】
【００１５】
本発明は上記構成により以下に述べるとおりの優れた効果を奏する。すなわち、本願の請求項１の発明によれば、前記表示部の表示画面を下向きに傾ける際に、第１の係合部が垂直方向変更用ガイドによって垂直方向にガイドされるので、水平方向摺動体は上方に変位し、連結部を上方に移動させ表示部を上方に変位させることで、表示部の上端にある第２の係合部を支点として表示部の表示画面が下向きになるように傾ける。このとき、表示部はその下縁が機器本体の下面の延長線より下方に突出しないようにすることができる。従って、従来のように表示装置の表示部下面とダッシュボードの取付け用開口部の下辺との間に間隙を設けることなく表示部を下向きに傾けることができるようになる。また、間隙を設ける必要がないので美観を損なわず防塵効果を確実にすることができる。また、その構成は既存の水平方向用ガイドに連続して垂直方向変更用ガイドを形成するだけの簡単なものである。
【００１６】
また、本願の請求項２の発明によれば、垂直方向変更用ガイドが垂直方向とともに水平方向にも第１の係合部をガイドするので、表示部を下向きに傾ける角度を大きくとることができる。
【００１７】
また、本願の請求項３の発明によれば、前記表示部の表示画面を下向きに傾ける際に、前記水平方向用摺動体が上方に変位して連結部を上方に移動させることによって表示部を上方に変位させると共に、表示部の上端に設けられた第２の係合部が水平方向用変更用ガイドに沿って水平方向にガイドされることによって表示部を下向きに傾ける角度をより容易に大きくすることができる。また、このとき表示部の上端が前方に突出するようになるので、画面がより見やすい状態で傾くようになる。しかも、その構成は、既存の前記垂直方向用ガイドに連続して水平方向変更用ガイドを形成するだけでの簡単なものである。
【００１８】
また、本願の請求項４の発明によれば、前記水平方向用摺動体が前記駆動部によって移動され、その移動動作は制御部によって制御されるモータによって行われるので、表示部の種々の状態変更が容易かつ確実に行える。
【００１９】
また、本願の請求項５の発明によれば、ピニオンが回転軸方向に十分な高さ或いは幅を有するので、ラックを薄板に形成したものであっても、水平方向用摺動体が垂直方向に変位した場合にピニオンとの噛合状態を逸脱することがない。従って、ラックおよび水平方向用摺動体は加工容易な薄板から形成することが可能となり、簡単な構成で確実に作動する車載用表示装置を得ることができる。
【００２０】
また、本願の請求項６の発明によれば、操作入力部において表示部の傾き具合を設定できるので、ユーザは操作入力部による操作入力を行うだけで、表示部を所望の状態に移動させることができる。
【発明を実施するための最良の形態】
【００２１】
以下、本発明の具体例を実施例及び図面を用いて詳細に説明する。但し、以下に示す実施例は、本発明の技術思想を具体化するための車載用表示装置を例示するものであって、本発明をこの車載用表示装置に特定することを意図するものではなく、特許請求の範囲に含まれるその他の実施形態の表示装置にも等しく適用し得るものである。
【実施例】
【００２２】
以下、本発明の実施例について図面を参照して説明する。図１は本発明の実施例に係る車載用表示装置において、表示部が正立状態にあるときを示す斜視図、図２は図１におけるＡ−Ａ線で切断した車載用表示装置のダッシュボードへの取り付け状態を示す断面図、図３は本発明の実施例に係る車載用表示装置の水平方向用摺動板を示す正面図、図４は本発明の実施例に係る車載用表示装置の水平方向用摺動板を示す斜視図、図５は本発明の実施例に係る車載用表示装置の垂直方向用摺動板を示す正面図、図６は本発明の実施例に係る車載用表示装置の垂直方向用摺動板を示す斜視図、図７は本発明の実施例に係る車載用表示装置において、表示部が傾き状態にあるときを示す斜視図、図８は図７におけるＢ−Ｂ線で切断した車載用表示装置のダッシュボードへの取り付け状態を示す断面図、図９は本発明の実施例に係る車載用表示装置において、表示部が水平状態にあるときのダッシュボードへの取り付け状態を示す断面図、図１０は本発明の実施例における車載用表示装置の制御部を示すブロック図である。
【００２３】
車載用表示装置１の機器本体２は、機器本体２の下部の両側に水平方向に長尺に延在する水平側板３と、機器本体２の前部の両側に垂直に立設された垂立側板５と、矩形で薄型の表示部９と、を備える。水平側板３の内面には水平方向用ガイド４が形成され、垂立側板５の内面には垂直方向用ガイド６が形成されている。表示部９は、連結部１０によって回動自在に水平方向用摺動体８に連結されており、水平方向用摺動体８には第１の係合部７が突設され水平方向用ガイド４に摺動自在に係合している。また、表示部９の側面の上部には第２の係合部１１が設けられ、垂直方向用ガイド６に摺動自在に係合している。この構成により表示部９は、連結部１０を中心としてその傾きを変化させながら、水平方向用摺動体８の第１の係合部７が水平方向用ガイド４に沿って水平方向に摺動することで表示部９の下部が水平方向に前方および後方に移動し、かつ第２の係合部１１が垂直方向用ガイド６に沿って鉛直方向に移動することで表示部９の上部が上下に移動できるようになる。この車載用表示装置１の機器本体２は、例えば光ディスクドライブ（図示せず）を内蔵しており、表示部９を移動させることによって内部の光ディスクドライブを操作することが可能となる。
【００２４】
水平方向用ガイド４は、図３、図４で示すように、一対の平行したガイド溝４１、４２からなる。これらガイド溝４１、４２は略同一形状であって水平側板３の水平方向および鉛直方向に位置をずらして平行に設けられる。第１の係合部７は、夫々のガイド溝４１、４２に係合するように、水平方向用摺動体８から水平方向および鉛直方向に位置を異にして突出した一対の突起７１、７２からなり、このように一対のガイド溝４１、４２と一対の７１、７２とにより水平方向用摺動体８が移動するので、安定した水平方向への移動を行うことができる。ただし、これらは必ずしも２組用いる必要はなく、１つずつにしてもよい。
【００２５】
また、水平方向用ガイド４の連結部１０から最も離れた端部には、水平方向用ガイド４の一対のガイド溝４１、４２に連なって且つ上方に傾斜した垂直方向変更用ガイド１２が形成されている。
【００２６】
一方、図５、図６で示すように、垂立側板５の垂直方向用ガイド６は垂立側板５の延在方向に沿って延び、その下方部は車載用表示装置１の前方に向かって僅かに傾斜している。また、この垂直方向用ガイド６の最上端部には、垂直方向用ガイド６に連なって機器本体２の前方に傾斜した水平方向変更用ガイド１３が形成されている。
【００２７】
表示部９は、液晶ディスプレイ、プラズマディスプレイなどが用いられ、機器本体２から供給される信号により映像を表示するものである。なお、表示部９として第１、第２の係合部７、１１を備える矩形板状のシャーシをディスプレイとは別途設け、このシャーシにディスプレイを取り付けるようにするとディスプレイの自由度が向上し好ましい。
【００２８】
以下に詳述するが、この表示部９は、図１、図２で示す正立状態となる位置と、図７、図８で示す表示画面が下向きに傾いた状態となる位置と、図９で示す水平状態となる位置とをとることができる。
【００２９】
まず図１、図２で示すように、車載用表示装置１は、表示部９を正立させた状態で車両のダッシュボード１４に取り付けられる。ダッシュボード１４は、その表面が斜めに傾いているか、上方が湾曲しているかするものが多いため、この取り付け状態では、表示部９の下部はダッシュボード１４の表面から突出していないが、表示部９の上部はダッシュボード１４の表面から突出している場合が多い。なお、このときの第１の係合部７は垂直方向用ガイド４の終端部に位置し、第２の係合部１１は垂直方向用ガイド６の終端部に位置している。さらにこのときの表示部９は、その裏面が機器本体２の前方を覆うように、水平方向用摺動体８の摺動方向に対して垂直な垂立状態となる。
【００３０】
次に、図７、図８で示すように、第１の係合部７が水平方向用ガイド４の終端部から垂直方向変更用ガイド１２に沿ってその終端部まで移動すると、水平方向用摺動体８は後方に（図８では左方に）移動しながら上方に変位する。同時に、第２の係合部１１は垂直方向用ガイド６の終端部から水平方向変更用ガイド１３に沿って終端部まで移動する。これによって、表示部９は連結部１０を支点として（図８では時計回りに）回動し、表示部９は正立状態から徐々に下向きに傾いて、傾き状態を取る。
【００３１】
また、図９で示すように、第１の係合部７が水平方向用ガイド４に沿って前方に（図９では右方に）移動すると、水平方向用摺動体８は機器本体２の前方に移動して引き出された状態となり、第２の係合部１１は垂直方向用ガイド６に沿ってその最下端まで下方に移動する。その結果、表示部９はその下部が水平方向用摺動体８によって前方に引き出されるとともに、連結部１０を支点として後方に倒れるように（図９では半時計回りに）上部が下降し、ほぼ水平に倒れた状態になり、機器本体２の前面を開放する。このように表示部９が移動すると、車載用表示装置１の前面が開放されることにより光ディスクドライブの操作部及びディスク挿入部が露出するため、光ディスクの装着、取り出し等が可能となる。そして、車載用表示装置１は光ディスクに記録されたデータを取り込むことによって新しい機能を設定することができるようになる。
【００３２】
水平方向用摺動体８は、駆動部１５によって駆動され、これにより表示部９の傾きを調整する。
【００３３】
駆動部１５は、駆動源としてのモータ１５０と、モータ１５０の回転数を伝達するギア機構１５１と、ギア機構１５１に噛合して回転されるピニオン１５２と、水平方向用摺動体８に形成されピニオン１５２と噛合するラック１５３とから構成されている。ピニオン１５２は、水平方向用摺動体８の垂直方向の移動によってラック１５２の位置が変位しても噛合状態を逸脱しない高さを有する。モータ１５０が回転すると、ギア機構１５１およびピニオン１５２を介してラック１５２が移動し、結果として水平方向用摺動体８が移動する。
【００３４】
図１０で示すように、駆動部１５のモータ１５０は制御部１６によって制御される。制御部１６は、制御回路１６０と、水平方向用摺動体８の位置を検出する検出部１６１と、表示部９の状態、つまり正立状態と傾き状態と水平状態とを選択的に設定するための操作入力を行う操作入力部１６２とから構成されている。
【００３５】
検出部１６１による水平方向用摺動体８の位置の検出は、例えば水平方向用摺動体８の位置によってオン／オフがなされる近接センサ（図示せず）によって行われる。つまり表示部９が正立状態にあるときの水平方向用摺動体８の位置を第１の位置とした場合、検出部１６１は第１の位置を検出してその検出出力を制御回路１６０に送出する。同様に、表示部９が傾き状態を第２の位置、さらに水平状態を第３の位置とすると、検出部１６１は水平方向用摺動体８の位置を検出して、それらの位置に相当する検出出力を制御回路１６０に送出する。なお、操作入力部１６２は、使用者が表示部９の状態、つまり正立状態、傾き状態および水平状態を適宜選択設定する場合に設定入力を行うものである。詳しくは、例えば使用者の車両のダッシュボード１４の傾斜状態等に応じて傾き状態における角度を変更したり、表示部９を移動させる際に正立状態または傾き状態で静止する必要がない場合にこれらの状態とならないように設定したりするものである。
【００３６】
上述した本発明の実施例による車載用表示装置は、図２に示すように、車載用表示装置１はダッシュボード１４の開口部１４０との間に間隙を設けることなく、前面に表示部９を正立させた状態で、表示部９の下部をダッシュボード１４の表面に突出させず、且つ表示部９の上部をダッシュボード１４の表面に突出させて取り付けられる。表示部９は機器本体２から供給された映像を表示し、使用者がこれを見ることができる。
【００３７】
また、水平方向用摺動体８が第２の位置に移動する際は、図７、図８に示されるように、第１の係合部７は傾斜した垂直方向変更用ガイド１２に沿って滑らかに案内されつつその終端まで移動し、水平方向用摺動体８は上方に変位しながら後方に（図８では左方に）移動する。同時に、第２の係合部１１は水平方向変更用ガイド１３に沿って案内されつつその終端まで移動し、以って表示部９はその上部が前方に移動し、下部が斜め後方に引き込まれるように移動するため、連結部１０を支点として前方に倒れるように回動される。
【００３８】
このとき、表示部９は下端部が上昇しながら回動されるため、表示部９の下端部は、機器本体２の下面延長線から突出することがない。すなわち、表示部９の下端部がダッシュボード１４の開口部１４０の縁に当たることがない。また、表示部９の上端は上昇しながら回動されるが、表示部９の上部はダッシュボード１４から突出しているため、開口部１４０の縁に当ることがない。
【００３９】
このようにして、表示部９はダッシュボード１４との間に間隙を設けることなく下向きの見やすい状態まで回動させることが可能となる。なお、より確実に表示部９がダッシュボード１４にぶつかることを防止するため、表示部９の上面の後方及び下面の前方を面取り加工するとより好ましい。
【００４０】
さらに、機器本体２の前面を開放する場合は、図９で示すように、使用者の操作により制御回路１６０が駆動部１５を作動させて水平方向用摺動体８を水平方向前方に大きく移動させる。水平方向用摺動体８の移動位置は検出部１６１によって検出され、制御回路１６０に送出されるが、水平方向用摺動体８が第３の位置にあることが検出されると制御回路１６０は駆動部１５の駆動動作を停止し、水平方向用摺動体８をこの第３の位置で停止させる。
【００４１】
表示部９を第３の位置まで移動させた後、光ディスクの取り出し、装填の作業等が終了した後は、使用者は操作入力部１６３に正立状態または傾き状態を選択・設定入力することにより、駆動部１５を制御して水平方向用摺動体８を第１の位置又は第２の位置に位置させ、表示部９の表示画面に画像等を映し出し、見るものである。
【００４２】
尚、ラック１５３は、水平方向用摺動体８が第１の位置又は第３の位置をとるときには相対的に下方に位置し、水平方向用摺動体８が第２の位置をとるときには相対的に上方に位置することになるが、ピニオン１５２を、ラック１５３の上下動に対応できるように回転軸方向に必要な高さを有していることによって、ラック１５３とピニオン１５２との噛合状態が逸脱することはない。つまり、水平方向用摺動体８を加工などが容易な板状の材料で形成されることにより、ラック１５３は薄板状となるが、ピニオン１５２が十分な幅（高さ）を有しているため、このラックが上下に変位したとしても噛合の逸脱を防止できる。
【００４３】
使用者は、正立状態、傾き状態及び水平状態にある表示部７を手動でもって強制的に回動させようとしても、水平方向用摺動体８が回転力を減速するギア機構１５１を介してモータ１５０に結合されているために動かすことができない。従って、表示部７はその位置が強固に保持される。
【００４４】
上述したように、本発明の実施例によれば、表示部９を下向きに傾けるときに、第１の係合部７は垂直方向変更用ガイド１２に沿って垂直方向に案内されるので、水平方向用摺動体８が上方に移動することによって連結部１０を上方に移動させ、表示部７を上方に変位させる。同時に、表示部９の上端は、第２の係合部１１が水平方向用変更用ガイド１３に沿って水平方向にガイドされ、表示部９は下向きに傾く。これによって、表示部９は傾き状態において、表示部９の下端部が機器本体２の下面の延長線上より下方に突出することをなくすことができので、表示部９とダッシュボード１４の開口部１４０との間に間隙を設ける必要がなくなる。
【００４５】
ここで、上記の実施例においては、第２の係合部１１を水平方向用変更用ガイド１３に沿って水平方向に移動させることによって表示部９の上端を機器本体２から突出させ、表示部９を下向きに傾けていが、水平方向変更用ガイド１３は省き、垂直方向用ガイド４を上方に若干延長して形成し、第２の係合部１１がその延長部分にガイドされるようにしたものであってもよい。この場合、第１の係合部７は垂直方向変更用ガイド１２によって後方および垂直方向に移動し、水平方向用摺動体８が上方に移動し、連結部１０は上方および後方に移動する。このとき、第２の係合部１１が垂直方向用ガイド４の延長部分に沿って上方にガイドされると、表示部９の上端は上方への移動することが可能となり、表示部９は、第２の係合部１１を支点として下向きに傾く。そのため、この際も、表示部９は下向きに傾いた傾き状態において表示部９の下縁が機器本体２のシャーシ下面の延長線上より下方に突出することがない。
【００４６】
尚、本発明の実施例においては、表示部７の正立状態、傾き状態及び水平状態への移動は、モータ１５０等からなる駆動部１５により水平方向用摺動体８を移動させることによって行うようにしたが、本発明はこれに限定されることなく駆動部１５を設けずに表示部９または水平方向用摺動体８などを直接に手動で動かすようにしてもよい。
【００４７】
尚、また、本発明の実施例においては、表示部７の傾き状態の角度は一つとしたが、本発明はこれに限定されることなく複数または連続的に設定できるようにしてもよい。
【００４８】
尚、また、本発明の実施例においては、機器本体２に光ディスクドライブを内蔵する車載用表示装置１について説明をしたが、本発明はこれに限定されることなく、機器本体２にメモリカード用書込み読取り装置を内蔵し、機器本体２の前面からメモリカードの取り出し、装着を行うようにした車載用表示装置１にも適用できる他、前面を開放して各種の操作を行うものに適用することができる。
【図面の簡単な説明】
【００４９】
【図１】本発明の実施例に係る車載用表示装置において、表示部が正立状態にあるときを示す斜視図である。
【図２】図１におけるＡ−Ａ線を断面とした車載用表示装置のダッシュボードへの取り付け状態を示す断面図である。
【図３】本発明の実施例に係る車載用表示装置の水平方向用摺動板を示す正面図である。
【図４】本発明の実施例に係る車載用表示装置の水平方向用摺動板を示す斜視図である。
【図５】本発明の実施例に係る車載用表示装置の垂直方向用摺動板を示す正面図、である。
【図６】本発明の実施例に係る車載用表示装置の垂直方向用摺動板を示す斜視図である。
【図７】本発明の実施例に係る車載用表示装置において、表示部が傾き状態にあるときを示す斜視図である
【図８】図７におけるＢ−Ｂ線を断面とした車載用表示装置のダッシュボードへの取り付け状態を示す断面図である。
【図９】本発明の実施例に係る車載用表示装置において、表示部が水平状態にあるときのダッシュボードへの取り付け状態を示す断面図である。
【図１０】本発明の実施例における車載用表示装置の制御部を示すブロック図である。
【符号の説明】
【００５０】
１              車載用表示装置
２              機器本体
３              水平側板
４              水平方向用ガイド
５              垂立側板
６              垂直方向用ガイド
７              第１の係合部
８              水平方向用摺動体
９              表示部
１０            連結部
１１            第２の係合部
１２            垂直方向変更用ガイド
１３            水平方向変更用ガイド
１４            ダッシュボード
１５            駆動部
４１、４２      ガイド溝
７１、７２      突起
１５０          モータ
１５１          ギア機構
１５２          ピニオン
１５３          ラック
【図１】
2008044429.tif 000003
【図２】
2008044429.tif 000004
【図３】
2008044429.tif 000005
【図４】
2008044429.tif 000006
【図５】
2008044429.tif 000007
【図６】
2008044429.tif 000008
【図７】
2008044429.tif 000009
【図８】
2008044429.tif 000010
【図９】
2008044429.tif 000011
【図１０】
2008044429.tif 000012